(57)【要約】【課題】利用者に対して、利用者が持参したカラオケ楽曲が登録されたＣＤの利用、カラオケ楽曲のストリーミング再生、キーワード検索による選曲を行う為のシステムを提供する。【解決手段】映像・音声再生装置はカラオケ管理装置と通信ネットワークを介して接続され、リモコンからの入力情報を受け付けて、その入力情報をカラオケ管理装置に送信する入力情報送信手段と、カラオケ管理装置からのカラオケに関する情報を受信する検索情報受信手段とを備え、カラオケ管理装置は、カラオケに関する情報を登録したデータベースと、映像・音声再生装置からの入力情報を受信する入力情報受信手段と、受信した入力情報に基づいて、データベースを検索して該当するカラオケに関する情報を映像・音声再生装置に送信する検索情報送信手段とを備えていることを特徴とする。【選択図】　　　　　図１
2004117903.tif 000002
【特許請求の範囲】
【請求項１】
防音ボックス内に利用者用座席、スピーカー、マイクロホン、ディスプレイ、及び、前記スピーカーへの音声信号と前記ディスプレイへの映像信号とをそれぞれ伝送する音声・映像再生装置を備えたカラオケシステムであって、
前記映像・音声再生装置は、カラオケ楽曲を少なくとも登録したコンパクトディスクを装着する為のディスクドライブと、前記映像・音声再生装置の制御を行うリモコンからの入力情報を受け付けて、前記コンパクトディスクより所要の前記カラオケ楽曲を再生する再生手段とを少なくとも備えていることを特徴とする、カラオケシステム。
【請求項２】
前記コンパクトディスクは、曲名と歌手名とを含むＣＤ楽曲紹介情報を更に含み、
前記映像・音声再生装置は、前記リモコンからの入力情報を受け付けて、前記コンパクトディスクを検索して前記ＣＤ楽曲紹介情報を前記ディスプレイに一覧表示するＣＤ楽曲一覧表示手段を更に備えていることを特徴とする、請求項１に記載のカラオケシステム。
【請求項３】
前記映像・音声再生装置は、カラオケシステムのシステム管理機関が備えるカラオケ管理装置と通信ネットワークを介して接続され、
前記映像・音声再生装置は、前記リモコンからの入力情報を受け付けて、その入力情報を前記カラオケ管理装置に送信する入力情報送信手段を更に備え、
前記カラオケ管理装置は、カラオケに関する情報を登録したデータベースと、前記映像・音声再生装置からの前記入力情報を受信する入力情報受信手段と、受信した前記入力情報に基づいて、前記データベースを検索して該当する前記カラオケに関する情報を前記映像・音声再生装置に送信する検索情報送信手段とを備え、
又、前記映像・音声再生装置は、前記カラオケ管理装置からの前記カラオケに関する情報を受信する検索情報受信手段とを更に備えていることを特徴とする、請求項１、又は請求項２に記載のカラオケシステム。
【請求項４】
前記データベースは、カラオケ楽曲を識別する楽曲識別コードを含むカラオケ楽曲情報を更に含み、
前記検索情報送信手段は、前記入力情報受信手段で受信した前記入力情報が前記楽曲識別コードを付加した受信再生要求情報の場合に、前記データベースを検索して該当する前記カラオケ楽曲情報を前記映像・音声再生装置に送信し、
前記検索情報受信手段は、受信した前記カラオケに関する情報が前記カラオケ楽曲情報の場合に、そのカラオケ楽曲情報を受信しながら再生する受信再生手段を含んでいることを特徴とする、請求項３に記載のカラオケシステム。
【請求項５】
前記データベースは、曲名と歌手名とを含む楽曲紹介情報を更に含み、
前記検索情報送信手段は、前記入力情報受信手段で受信した前記入力情報がキーワードを付加したキーワード選曲要求情報の場合に、前記データベースを検索して該当する前記楽曲紹介情報を前記映像・音声再生装置に送信し、
前記検索情報受信手段は、受信した前記カラオケに関する情報が前記楽曲紹介情報の場合に、その楽曲紹介情報を前記ディスプレイに一覧表示するキーワード楽曲一覧表示手段を含んでいることを特徴とする、請求項３、又は請求項４に記載のカラオケシステム。
【請求項６】
前記データベースは、前記映像・音声再生装置を識別する再生装置番号を含む前記防音ボックスの利用料金に関する課金情報を更に含み、
前記検索情報送信手段は、前記入力情報受信手段で受信した前記入力情報が前記再生装置番号と利用者人数とを付加した利用開始情報の場合に、前記データベースを検索して該当する前記課金情報に前記利用開始情報を登録して利用時間を計測し、前記入力情報受信手段で受信した前記入力情報が前記再生装置番号を付加した利用終了情報の場合に、前記データベースを検索して該当する前記課金情報に計測した前記利用時間と前記利用終了情報とを登録する利用時間課金手段を含んでいることを特徴とする、請求項３乃至請求項５の何れか１項に記載のカラオケシステム。
【請求項７】
前記検索情報送信手段は、前記利用時間課金手段に代わって、前記入力情報受信手段で受信した前記入力情報が前記再生装置番号を付加した再生要求情報、又は受信再生要求情報の場合に、前記データベースを検索して該当する前記課金情報に利用回数を登録する利用回数課金手段を含んでいることを特徴とする、請求項６に記載のカラオケシステム。
【請求項８】
請求項１乃至請求項７の何れか１項に記載のカラオケシステムに於いて、
前記防音ボックスには強制吸排気装置が設けられ、前記防音ボックス内部とを結び、前記強制吸排気装置の空気通路は、前記防音ボックス内の振動音を吸収する吸音構造を備えていることを特徴とするカラオケ設備。
【請求項９】
前記空気通路は、少なくとも１つの屈折部を有する蛇行通路で構成されていることを特徴とする、請求項８に記載のカラオケ設備。
【請求項１０】
前記空気通路は、その内壁面に吸音材を使用していることを特徴とする請求項８、又は請求項９に記載のカラオケ設備。
【請求項１１】
前記強制吸排気装置は、その吸気用空気通路の両端にある室内開口部と外部開口部とを防音ボックスの上部に、又、その排気用空気通路の両端にある室内開口部と外部開口部とを防音ボックスの下部に、それぞれ装備しており、何れかの空気通路にファンを装備していることを特徴とする、請求項８乃至請求項１０の何れか１項に記載のカラオケ設備。
【請求項１２】
前記防音ボックスは、その内壁面に吸音材を装備していることを特徴とする、請求項８乃至請求項１１の何れか１項に記載のカラオケ設備。
【発明の詳細な説明】
【０００１】
【発明の属する技術分野】
本発明は、主として、カラオケ喫茶店、一般家庭等で、カラオケを用いて歌う場合に使用されるカラオケシステム、及びこれに用いるカラオケ設備に関するものである。
【０００２】
【従来の技術】
従来から、カラオケを用いて歌う場合には、映像を表示するディスプレイ（映像モニター）、マイクロホン、スピーカー等を付帯した音声・映像再生装置が、カラオケ設備として、カラオケ喫茶の店内、又は一般家庭の居室に装備されている。
【０００３】
又、カラオケシステムの事例して、例えば、特開２００２−１８２６６９号に開示されている「通信カラオケシステムの運用方法、ホスト装置および通信カラオケ装置」が示すように、ホスト装置からの楽曲ファイルのダウンロードを主体に記載されている。
【非特許文献１】
特開２００２−１８２６６９号公報（第１頁）
【０００４】
【発明が解決しようとする課題】
しかしながら、カラオケ喫茶店等に於いて、その利用者に対し、カラオケ設備と豊富なカラオケ楽曲を提供するだけではなく、利用者が持参したカラオケ楽曲が登録されたＣＤの利用、カラオケ楽曲のダウンロード時間の短縮、コードブック以外の選曲手段等が望まれている。
【０００５】
又、カラオケ設備に於いても、カラオケ喫茶店等では、一人の利用者が、一式のカラオケ設備を専有してしまうので、多人数の利用希望者に対して、その要望を満たすことができない。又、外部への騒音対策を行う為に、カラオケ設備を設置した店内全体、又は、少なくともカラオケ設備のある居室に対して、防音設備を施さなくてはならないが、これには、相当な経済的負担がある。
【０００６】
本発明は上記事情に基づいてなされたもので、その目的とするところは、利用者に対して、利用者が持参したカラオケ楽曲が登録されたＣＤの利用、カラオケ楽曲のストリーミング再生、キーワード検索による選曲を行う為のシステムを提供し、比較的狭い空間で、十分に歌うことができるカラオケ設備を提供して、多人数の利用希望者の需要を満たすことができ、又、その経済的負担も軽減できるようにすることである。
【０００７】
【課題を解決するための手段】
上記目的を達成する為、本発明のカラオケシステムは、防音ボックス内に利用者用座席、スピーカー、マイクロホン、ディスプレイ、及び、前記スピーカーへの音声信号と前記ディスプレイへの映像信号とをそれぞれ伝送する音声・映像再生装置を備えたカラオケシステムであって、
前記映像・音声再生装置が、カラオケ楽曲と、曲名と歌手名とを含むＣＤ楽曲紹介情報とを少なくとも登録したコンパクトディスクを装着する為のディスクドライブと、
前記映像・音声再生装置の制御を行うリモコンからの入力情報を受け付けて、前記コンパクトディスクより所要の前記カラオケ楽曲を再生する再生手段と、
前記リモコンからの入力情報を受け付けて、前記コンパクトディスクを検索して前記ＣＤ楽曲紹介情報を前記ディスプレイに一覧表示するＣＤ楽曲一覧表示手段とを備えていること特徴とする。
【０００８】
又、本発明のカラオケシステムは、前記映像・音声再生装置が、カラオケシステムのシステム管理機関が備えるカラオケ管理装置と通信ネットワークを介して接続され、
前記映像・音声再生装置が、前記リモコンからの入力情報を受け付けて、その入力情報を前記カラオケ管理装置に送信する入力情報送信手段を更に備え、
前記カラオケ管理装置が、カラオケに関する情報を登録したデータベースと、前記映像・音声再生装置からの前記入力情報を受信する入力情報受信手段と、受信した前記入力情報に基づいて、前記データベースを検索して該当する前記カラオケに関する情報を前記映像・音声再生装置に送信する検索情報送信手段とを備え、
又、前記映像・音声再生装置が、前記カラオケ管理装置からの前記カラオケに関する情報を受信する検索情報受信手段とを更に備えていることを特徴とする。又、実施の形態として、通信ネットワークが、衛星通信、ＬＡＮ、インターネット等を利用すると効果が増大である。
【０００９】
尚、本発明のカラオケシステムでは、前記データベースが、カラオケ楽曲を識別する楽曲識別コードを含むカラオケ楽曲情報を更に含み、
前記検索情報送信手段が、前記入力情報受信手段で受信した前記入力情報が前記楽曲識別コードを付加した受信再生要求情報の場合に、前記データベースを検索して該当する前記カラオケ楽曲情報を前記映像・音声再生装置に送信し、
前記検索情報受信手段が、受信した前記カラオケに関する情報が前記カラオケ楽曲情報の場合に、そのカラオケ楽曲情報を受信しながら再生する受信再生手段を含み、
前記検索情報送信手段は、前記入力情報受信手段で受信した前記入力情報がキーワードを付加したキーワード選曲要求情報の場合に、前記データベースを検索して該当する前記楽曲紹介情報を前記映像・音声再生装置に送信し、
前記検索情報受信手段は、受信した前記カラオケに関する情報が前記楽曲紹介情報の場合に、その楽曲紹介情報を前記ディスプレイに一覧表示するキーワード楽曲一覧表示手段を含んでいることが、その実施の形態として好ましい。
【００１０】
当然のことながら本発明のカラオケシステムは、前記データベースが、前記映像・音声再生装置を識別する再生装置番号を含む前記防音ボックスの利用料金に関する課金情報を更に含み、
前記検索情報送信手段が、前記入力情報受信手段で受信した前記入力情報が前記再生装置番号と利用者人数とを付加した利用開始情報の場合に、前記データベースを検索して該当する前記課金情報に前記利用開始情報を登録して利用時間を計測し、前記入力情報受信手段で受信した前記入力情報が前記再生装置番号を付加した利用終了情報の場合に、前記データベースを検索して該当する前記課金情報に計測した前記利用時間と前記利用終了情報とを登録する利用時間課金手段と、
前記入力情報受信手段で受信した前記入力情報が前記再生装置番号を付加した再生要求情報、又は受信再生要求情報の場合に、前記データベースを検索して該当する前記課金情報に利用回数を登録する利用回数課金手段とを含んでいる。
【００１１】
このように、映像・音声再生装置にディスクドライブを備えることで、利用者のコンパクトディスクを利用することができ、ディスプレイに曲名と歌手名等のカラオケ楽曲の一覧を表示することによって、速やかに希望するカラオケ楽曲を選択することができる。
【００１２】
又、映像・音声再生装置とカラオケ管理装置とを通信ネットワークを介して接続することにより、通信カラオケを実現すると共に、カラオケ管理装置のデータベースに登録されたカラオケ楽曲情報を受信しながら再生することによって、歌い始める迄の待ち時間を大幅に短縮することができる。
【００１３】
更に、曲名や歌手名等のキーワード検索によって、希望するカラオケ楽曲の候補より速やかに選曲することができる。
【００１４】
更に又、利用時間やカラオケ楽曲の利用回数による課金手段を備えることによって、一般家庭等で利用する場合は、映像・音声再生装置の再生装置番号と利用者の口座番号を関連付けることによって、その利用料金の自動振替に繋げることができる。
【００１５】
次に、本発明のカラオケ設備は、前記カラオケシステムに於いて、前記防音ボックスには強制吸排気装置が設けられ、前記防音ボックス内部とを結び、前記強制吸排気装置の空気通路は、前記防音ボックス内の振動音を吸収する吸音構造を備えていることを特徴とする。
【００１６】
尚、本発明のカラオケ設備は、前記空気通路が、少なくとも１つの屈折部を有する蛇行通路で構成されていること、又、その内壁面に吸音材を使用していることがより効果がある。
更に、前記強制吸排気装置が、その吸気用空気通路の両端にある室内開口部と外部開口部とを防音ボックスの上部に、又、その排気用空気通路の両端にある室内開口部と外部開口部とを防音ボックスの下部に、それぞれ装備しており、何れかの空気通路にファンを装備している。
当然のことながら、前記防音ボックスは、その内壁面に吸音材を装備していることが、その実施の形態として好ましい。
【００１７】
このような構成の小型の防音ボックスを採用した強制吸排気装置を備えることで、ボックス内の酸欠状態を回避でき、利用者の歌の練習に支障がないだけでなく、内部での発生音は、その強制吸排気装置の空気通路が、例えば、迂回する形状、通路内壁に吸音材を使用する等の吸音構造を採用することで、外部に漏れるのを抑制・防止することができる。
【００１８】
【発明の実施の形態】
以下、本発明の一実施の形態を図に基づいて詳細に説明する。
図１は本発明であるカラオケシステム１００のシステム構成を示す模式図である。
【００１９】
図１に示すように、カラオケシステム１００は、利用者側が防音ボックス内に備えるディスプレイ１１とコンパクトディスク２０を装着する為のディスクドライブ１２とを接続した音声・映像再生装置１０と、映像・音声再生装置１０の制御を行うリモコン１３と、映像・音声再生装置１０がインターネット１を介して接続されるこのカラオケシステムのシステム管理機関が備えるカラオケ管理装置４０とから構成される。
【００２０】
音声・映像再生装置１０は、映像・音声再生装置１０を識別する再生装置番号を登録するメモリー部を備える。
【００２１】
コンパクトディスク２０は、ＣＤ楽曲紹介ファイル２１、カラオケ楽曲ファイル２２を備える。
【００２２】
ＣＤ楽曲紹介ファイル２１は、カラオケ楽曲の紹介に関するＣＤ楽曲紹介情報を記録するものである。
ＣＤ楽曲紹介情報には、検索キー部である楽曲識別コードと、データ部に属する曲名、歌手名等の情報を格納する。
【００２３】
カラオケ楽曲ファイル２２は、映像と音声とからなるカラオケ楽曲情報を記録するものである。
カラオケ楽曲情報には、検索キー部である楽曲識別コードと、データ部に属するカラオケ楽曲等の情報を格納する。
【００２４】
カラオケ管理装置４０は、カラオケ楽曲の送信に関する業務を遂行する為に必要な情報を登録するデータベース５０と、音声・映像再生装置１０からの要求を受信して、データベース５０の検索結果を、インターネット１を介して送信するＷｅｂサーバー４１と、データベース５０を管理するデータベースサーバー４２と、カラオケ楽曲の送信に関する業務処理を行うアプリケーションサーバー４３とから構成される。
【００２５】
データベース５０は、楽曲紹介テーブル５１、カラオケ楽曲テーブル５２、課金テーブル５３を備える。
【００２６】
楽曲紹介テーブル５１は、カラオケ楽曲の紹介に関する楽曲紹介情報を記録するものである。
楽曲紹介情報には、曲名と歌手名とからなる検索キー部と、データ部に属する楽曲識別コード等の情報を格納する。
【００２７】
カラオケ楽曲テーブル５２は、映像と音声とからなるカラオケ楽曲情報を記録するものである。
カラオケ楽曲情報には、検索キー部である楽曲識別コードと、データ部に属するカラオケ楽曲等の情報を格納する。
【００２８】
課金テーブル５３は、防音ボックスの利用料金に関する課金情報を記録するものである。
課金情報には、検索キー部である再生装置番号と、データ部に属する利用開始年月日・時刻、利用終了年月日・時刻、利用単価／時間、利用時間、利用者人数、利用単価／回、利用回数、登録年月日等の情報を格納する。
【００２９】
次に、音声・映像再生装置１０の処理手段群３０が、リモコン１３の要求信号に応答して、コンパクトディスク２０の検索を行う処理手順と、カラオケ管理装置４０の処理手段群６０が、音声・映像再生装置１０の要求信号に応答して、データベース５０の検索を行う処理手順について詳細に説明する。図２は、本発明である音声・映像再生装置１０の処理手段群３０とカラオケ管理装置４０の処理手段群６０に於ける処理の流れ図であり、これらの処理手段群は、以下の６手段から構成される。
【００３０】
これらは、ＣＤ楽曲一覧表示手段３１、再生手段３２、入力情報送信手段３３、検索情報受信手段３４、入力情報受信手段６１、検索情報送信手段６２である。
検索情報受信手段３４は、キーワード楽曲一覧表示手段３４ａと受信再生手段３４ｂを含み、情報送信手段６２は、利用時間課金手段６２ａと利用回数課金手段６２ｂを含む。
【００３１】
ＣＤ楽曲一覧表示手段３１は、リモコン１３からの入力情報を受け付けて、コンパクトディスク２０を検索してＣＤ楽曲紹介情報をディスプレイ１１に一覧表示する。
【００３２】
以下に、ＣＤ楽曲一覧表示手段３１の処理手順を詳細に説明する。
（１）リモコン１３からのＣＤ楽曲一覧表示要求信号に応答して、ＣＤ楽曲紹介ファイル２１を検索してＣＤ楽曲紹介情報を取得する。
（２）取得したＣＤ楽曲紹介情報一覧が編集されているＣＤ楽曲一覧表示画面をディスプレイ１１に送信する。
（３）（１）の処理で取得したＣＤ楽曲紹介情報を再生手段３２に受け渡す。
【００３３】
再生手段３２は、リモコン１３からの入力情報を受け付けて、コンパクトディスク２０より所要のカラオケ楽曲を再生する。
【００３４】
以下に、再生手段３２の処理手順を詳細に説明する。
（１）再生手段３２は、音声・映像再生装置１０の電源投入時に起動され、ＣＤ楽曲一覧表示手段３１からのＣＤ楽曲紹介情報を受け付けるまでウエイトする。
（２）ウエイト解除後、ＣＤ楽曲一覧表示手段３１より受け付けたＣＤ楽曲紹介情報一覧が編集されているＣＤ楽曲一覧表示・楽曲選択画面をディスプレイ１１に送信する。
（３）リモコン１３からのＣＤ楽曲紹介情報の選択を受け付けて、選択したＣＤ楽曲紹介情報に設定されている楽曲識別コードより、カラオケ楽曲ファイル２２を検索して該当するカラオケ楽曲情報を取得する。
（４）取得したカラオケ楽曲情報に設定されているカラオケ楽曲を再生する。
【００３５】
入力情報送信手段３３は、リモコン１３からの入力情報を受け付けて、その入力情報をカラオケ管理装置４０に送信する。
【００３６】
以下に、入力情報送信手段３３の処理手順を詳細に説明する。
（１）入力情報送信手段３３は、音声・映像再生装置１０の電源投入時に起動され、リモコン１３からの入力情報を受け付けるまでウエイトする。
（２）ウエイト解除後、リモコン１３より受け付けた入力情報とメモリー部に登録されている再生装置番号とをカラオケ管理装置４０に送信する。
【００３７】
入力情報受信手段６１は、映像・音声再生装置１０からの入力情報を受信する。
【００３８】
以下に、入力情報受信手段６１の処理手順を詳細に説明する。
（１）入力情報受信手段６１は、カラオケ管理装置４０の電源投入時に起動され、音声・映像再生装置１０からの入力情報と再生装置番号とを受け付けるまでウエイトする。
（２）ウエイト解除後、音声・映像再生装置１０より受け付けた入力情報と再生装置番号とを検索情報送信手段６２に受け渡す。
【００３９】
検索情報送信手段６２は、入力情報受信手段６１で受信した入力情報がキーワードを付加したキーワード選曲要求情報の場合は、データベース５０を検索して該当する楽曲紹介情報を映像・音声再生装置１０に送信し、入力情報受信手段６１で受信した入力情報が楽曲識別コードを付加した受信再生要求情報の場合は、データベース５０を検索して該当するカラオケ楽曲情報を映像・音声再生装置１０に送信する。
【００４０】
以下に、検索情報送信手段６２の処理手順を詳細に説明する。
（１）検索情報送信手段６２は、カラオケ管理装置４０の電源投入時に起動され、入力情報受信手段６１からの入力情報と再生装置番号とを受け付けるまでウエイトする。
（２）ウエイト解除後、入力情報受信手段６１より受け付けた入力情報がキーワード選曲要求情報の場合は、キーワード選曲要求情報に設定されているキーワードより、楽曲紹介テーブル５１を検索して該当する楽曲紹介情報を取得して、取得した楽曲紹介情報一覧を入力情報受信手段６１より受け付けた再生装置番号に該当する映像・音声再生装置１０に送信する。
入力情報受信手段６１より受け付けた入力情報が受信再生要求情報の場合は、受信再生要求情報に設定されている楽曲識別コードより、カラオケ楽曲テーブル５２を検索して該当するカラオケ楽曲情報を取得して、取得したカラオケ楽曲情報を入力情報受信手段６１より受け付けた再生装置番号に該当する映像・音声再生装置１０に送信する。
【００４１】
検索情報受信手段３４は、カラオケ管理装置４０からのカラオケに関する情報を受信する。
キーワード楽曲一覧表示手段３４ａは、受信したカラオケに関する情報が楽曲紹介情報の場合に、その楽曲紹介情報をディスプレイ１１に一覧表示する。
受信再生手段３４ｂは、受信したカラオケに関する情報がカラオケ楽曲情報の場合に、そのカラオケ楽曲情報を受信しながら再生する。
【００４２】
以下に、検索情報受信手段３４とキーワード楽曲一覧表示手段３４ａと受信再生手段３４ｂの処理手順を詳細に説明する。
（１）検索情報受信手段３４は、映像・音声再生装置１０の電源投入時に起動され、カラオケ管理装置４０からのカラオケに関する情報を受け付けるまでウエイトする。
（２）ウエイト解除後、カラオケ管理装置４０より受け付けたカラオケに関する情報が楽曲紹介情報の場合は、その楽曲紹介情報をディスプレイ１１に一覧表示する。
カラオケ管理装置４０より受け付けたカラオケに関する情報がカラオケ楽曲情報の場合は、そのカラオケ楽曲情報を受信しながら再生する。
【００４３】
利用時間課金手段６２ａは、入力情報受信手段６１で受信した入力情報が再生装置番号と利用者人数とを付加した利用開始情報の場合に、データベース５０を検索して該当する課金情報に利用開始情報を登録して利用時間を計測し、入力情報受信手段６１で受信した入力情報が再生装置番号を付加した利用終了情報の場合に、データベース５０を検索して該当する課金情報に計測した利用時間と利用終了情報とを登録する。
【００４４】
以下に、利用時間課金手段６２ａの処理手順を詳細に説明する。
（１）利用時間課金手段６２ａは、カラオケ管理装置４０の電源投入時に起動され、映像・音声再生装置１０からの入力情報を受け付けるまでウエイトする。
（２）ウエイト解除後、映像・音声再生装置１０より受け付けた入力情報が利用開始情報の場合は、その利用開始情報に設定されている再生装置番号より、課金テーブル５３を検索して該当する課金情報を取得し、映像・音声再生装置１０より受け付けた利用開始情報を取得した課金情報に設定して課金テーブル５３を更新する。
映像・音声再生装置１０より受け付けた入力情報が利用終了情報の場合は、その利用終了情報に設定されている再生装置番号より、課金テーブル５３を検索して該当する課金情報を取得し、取得した課金情報に設定されている利用開始年月日・時刻より、利用時間を算出して課金情報に設定して課金テーブル５３を更新する。
【００４５】
利用回数課金手段６２ｂは、入力情報受信手段６１で受信したカラオケに関する情報が再生装置番号を付加した再生要求信号、又は受信再生要求信号の場合に、データベース５０を検索して該当する課金情報に利用回数を登録する。
【００４６】
以下に、利用回数課金手段６２ｂの処理手順を詳細に説明する。
（１）利用回数課金手段６２ｂは、カラオケ管理装置４０の電源投入時に起動され、映像・音声再生装置１０からの入力情報を受け付けるまでウエイトする。
（２）ウエイト解除後、映像・音声再生装置１０より受け付けた入力情報が再生要求信号、又は受信再生要求信号の場合は、その再生要求信号、又は受信再生要求信号に設定されている再生装置番号より、課金テーブル５３を検索して該当する課金情報を取得し、課金情報に設定されている利用回数をカウントアップして課金テーブル５３を更新する。
【００４７】
次に、本発明に係るカラオケ設備の実施の形態を、図面を参照して、具体的に説明する。
尚、図３はカラオケ設備の外観斜視図、図４は天井部を外した同平面斜視図、図５は要部の側面図、図６は強制吸排気装置の構成を示す断面図である。
【００４８】
本発明のカラオケ設備は、図３の（１）に示すように、基本的には、箱形の防音ボックス７１内に利用者用座席７２、スピーカー７３、マイクロホン７４、ディスプレイ１１、及び、スピーカー７３への音声信号及びディスプレイ１１への映像信号をそれぞれ伝送する音声・映像再生装置１０を備えたものである。又、このカラオケ設備では、防音ボックス７１に強制吸排気装置７５が設けられ、防音ボックス７１の内部とを結ぶ、強制吸排気装置７５の空気通路７５ａ、７５ｂは、防音ボックス７１内の振動音を吸収する吸音構造（詳細は後述する）を備えている。
【００４９】
更に説明を加えると、防音ボックス７１は前後、左右の計４枚の側壁７１ａ〜７１ｄと、天井７１ｅと床７１ｆとから構成されたもので、前側の側壁７１ａには、出入り口７１ｇがあり、そこには、上半部分に防音性の良い厚手の透明ガラス板８１を嵌め込んだ扉８２が、密閉状態で閉じられるように装備されている。各側壁、天井、床は、図３の（２）に示すように、例えば、木製の、枠形補強材８３の内外に、厚板８４、８５を貼り付けて二重壁構造とすると共に、その間にグラスウールなどの吸音材８６を充填して、内外への遮音性能を向上するように工夫している。
又、内側厚板８４のボックス内の露出面（内壁面）には、例えば、ゴムを裏張りしたカーペット８７を貼り付けていて、外部への遮音効果、内部での吸音効果を発揮できるようにしている。尚、強度上から、外側厚板８５と補強材８３との間に、例えば、鉄板などの金属薄板８８を介装するように、予め、厚板８５に金属薄板８８を積層しておくと良い。
【００５０】
本発明に係る強制吸排気装置７５では、図６に示すように、それぞれの空気通路７５ａ、７５ｂは、少なくとも１つの屈折部７５ｃ、７５ｄを有するＵ字形の蛇行通路で構成されており、又、その内壁面に発泡ウレタン等の吸音材（図示せず）を貼着・使用している。更に、強制吸排気装置７５が、その吸気用空気通路７５ａの両端にある室内開口部９１、及び、外部開口部９２を防音ボックス７１の下部に、又、その排気用空気通路７５ｂの両端にある室内開口部９３、及び、外部開口部９４を防音ボックス７１の上部に、それぞれ装備しており、何れかの空気通路（この実施の形態では、空気通路７５ｂ）に、例えば、所謂、シロッコファン等の低騒音形のファン９５を装備している。尚、外部開口部９２、９４に対応して、側壁７１ｃ、７１ｄには、通気用グリル９６、９７が設けられている。
【００５１】
又、上述の実施の形態において、図３〜図５に示すように、防音ボックス７１の内部空間の有効性を高めるために、利用者用座席７２、スピーカー７３、マイクロホン７４、ディスプレイ１１及び音声・映像再生装置１０の配置を工夫すると良い。又、利用者用座席７２は、折り畳み式として、座位と立位との両方に必要な床空間を確保できるようにすると良い。特に、この実施の形態では、側壁７１ｃを背にして、折り畳み式のものが設置されており、反対側の側壁７１ｄを背にして、音声・映像再生装置１０が設置されている。又、その脇にはマイクスタンド７４ａがある。
【００５２】
更に、マイクロホン７４をワイヤレスとし、又、スピーカー７３の代わりに、ヘッドフォンを採用しても良く、この場合は、音声・映像再生装置１０側で、音声発生部の切換えができるようにすると良い。又、必要なら、ディスプレイ１１を、練習者の座位、立位の何れにも具合良く対応させる為、表示面を上下に傾けられるように（あるいは、上下に移動できるように）構成すると良い。
【００５３】
このような構成の、小型の防音ボックス７１を採用して、強制吸排気装置７５を備えることで、ボックス内の酸欠状態を回避でき、利用者の歌の練習に支障がないだけでなく、内部での発生音は、その強制吸排気装置７５の空気通路７５ａ、７５ｂが、例えば、迂回するＵ字形状、通路内壁に吸音材を使用する等の吸音構造を採用することで、外部に漏れるのを抑制・防止することができる。
【００５４】
従って、カラオケ喫茶店などの営業施設では、限られた設置空間を分けることができるので、多数の練習希望者の要望を満足でき、又、一般家庭でも、生活を共にする他の居住者に迷惑を掛ける畏れがなく、又、近隣への騒音を防止できることになる。しかも、防音対策も、小型の防音ボックスで満足できるので、経済的負担が軽減される。
【００５５】
このようにして、カラオケ利用者は、ディスプレイ１１に映し出された映像、歌詞文字を見ながら、スピーカー７３からのメロディに合わせて、発生することにより、その合成音を聞きながら、歌に励むことになる。この場合、防音ボックス７１内の歌唱音は、その防音設備によって、外部に漏洩しない。
【００５６】
尚、防音ボックス７１は、設備現場の搬入、組立の便宜を考慮して、側壁７１ａ〜７１ｄ、天井７１ｅ、床７１ｆをプレハブ構造とすることが好ましい。又、防音ボックス７１内の空気を清浄にする為、強制吸排気装置７５とは別に、空気調整器、空気清浄機などを設置しても良い。更に、防音ボックスの大きさを変えて、２座席を内部に装備しても良い。特に、扉８２の開放時に、スピーカー７３の音量を自動的に低減するなどの工夫をすると良い。
【００５７】
以上、本発明の一実施の形態を詳細に説明したが、本発明は、本実施の形態に限られるものではない。本発明の技術的範囲から逸脱しない範囲内で多様に変更実施することが可能である。
【００５８】
【発明の効果】
本発明のカラオケシステムは、カラオケ楽曲が登録された利用者のコンパクトディスクの利用に加えて、通信カラオケによるストリーミング再生、並びに、その利用料金の自動振替を行うことができる。
【００５９】
本発明のカラオケ設備は、以上詳述したように、防音ボックスに強制吸排気装置を設け、前記防音ボックス内部とを結ぶ、前記強制吸排気装置の空気通路が、前記防音ボックス内の振動音を吸収する吸音構造を備えているので、防音ボックス内の酸欠状態を回避でき、利用者の歌の練習に支障がないだけでなく、内部での発生音は、その強制吸排気装置７５の空気通路の形状、通路内壁に吸音材を使用する等の吸音構造を採用することで、外部に漏れるのを抑制・防止することができる。
【図面の簡単な説明】
【図１】本発明であるカラオケシステムのシステム構成を示す模式図である。
【図２】本発明である音声・映像再生装置の処理手段群とカラオケ管理装置の処理手段群に於ける処理の流れ図である。
【図３】本発明の一実施形態を示すカラオケシステムの外観斜視図である。
【図４】天井部を外した同平面図である。
【図５】要部の側面図である。
【図６】強制吸排気装置の構成を示す断面図である。
【符号の説明】
１００　カラオケシステム
１　　　インターネット
１０　　音声・映像再生装置
１１　　ディスプレイ
１２　　ディスクドライブ
１３　　リモコン
２０　　コンパクトディスク
２１　　ＣＤ楽曲紹介ファイル
２２　　カラオケ楽曲ファイル
３０　　音声・映像再生装置の処理手段群
３１　　ＣＤ楽曲一覧表示手段
３２　　再生手段
３３　　入力情報送信手段
３４　　検索情報受信手段
３４ａ　キーワード楽曲一覧表示手段
３４ｂ　受信再生手段
４０　　カラオケ管理装置
４１　　Ｗｅｂサーバー
４２　　データベースサーバー
４３　　アプリケーションサーバー
５０　　データベース
５１　　楽曲紹介テーブル
５２　　カラオケ楽曲テーブル
５３　　課金テーブル
６０　　カラオケ管理装置の処理手段群
６１　　入力情報受信手段
６２　　検索情報送信手段
６２ａ　利用時間課金手段
６２ｂ　利用回数課金手段
７１　　防音ボックス
７１ａ〜７５１ｄ　　側壁
７１ｅ　天井
７１ｆ　床
７１ｇ　出入り口
７２　　利用者用座席
７３　　スピーカー
７４　　マイクロホン
７４ａ　マイクスタンド
７５　　強制吸排気装置
７５ａ、７５ｂ　　空気通路
７５ｃ、７５ｄ　　屈折部
８１　　透明ガラス板
８２　　扉
８３　　枠形補強材
８４、８５　　厚板
８６　　吸音材
８７　　カーペット
８８　　金属薄板
９１、９３　　室内開口部
９２、９４　　外部開口部
９５　　ファン
９６、９７　　通気用グリル
【図１】
2004117903.tif 000003
【図２】
2004117903.tif 000004
【図３】
2004117903.tif 000005
【図４】
2004117903.tif 000006
【図５】
2004117903.tif 000007
【図６】
2004117903.tif 000008